(57)【特許請求の範囲】
【請求項１】
便座ボックスが洋風便器の後部上面に設置され、ボルト及びナットによって固定された便座ボックスの取付構造であって、
該ボルトは、外管と、該外管に螺合しており該外管の上端部から上方へ螺進可能な軸体とを備えており、該外管の上端にボルトの頭部が設けられており、
該便座ボックスは、底部プレートに洋風便器前後方向に延在する該ボルトの挿通用のスリットが設けられ、該スリットに対峙して、該軸体の上端が当接する当接板が設けられたものであり、
該ボルトが該スリットに装着されて該洋風便器のボルト挿通孔に通され、該外管に該ナットが締め込まれており、
前記ボルトの頭部が前記スリットの縁部を上方から押え付け、前記軸体の上端が前記当接板に押し付けられ、該軸体が該底部プレートと該当接板との間で突っ張った状態となっていることを特徴とする便座ボックスの取付構造。
【請求項２】
請求項１において、前記軸体の上端には、該上端から側方に張り出す張出部が設けられていることを特徴とする便座ボックスの取付構造。
【請求項３】
請求項１又は２の便座ボックスの取付構造とするための便座ボックスの取付方法であって、
該便座ボックスを洋風便器の上面に載せ、
前記ボルトを便器の便座ボックス固定用ボルト挿通孔に通し、該ボルトの前記外管にナットを締め込み、該ボルトの頭部で便座ボックスの底部プレートのスリットの両縁部を押えつけ、
その後、前記軸体を回して上方に螺進させ、その上端を当接板に押し当てることを特徴とする便座ボックスの取付方法。
【発明の詳細な説明】
【０００１】
【発明の属する技術分野】
本発明は、洋風便器の上面に設置され、ボルトによって固定される便座ボックスの取付構造及び取付方法に係り、特に、洋風便器に対する位置ズレを防止するよう改良された便座ボックスの取付構造及び取付方法に関する。
【０００２】
【従来の技術】
洋風便器に温水洗浄装置を設置する場合に、便器の後部上面に便座ボックスを設置することが多い。この便座ボックス内に温水を噴出するためのノズル及び温水供給機構が組み込まれると共に、さらに温風乾燥機構、脱臭機構などが組み込まれることもある。この便座ボックスに便座や、通常は更に便蓋が上下方向回動自在に取り付けられる。この便座ボックスの洋風便器への従来の取付構造について図３〜７を参照して説明する。なお、図６は図４のVI−VI線に沿う断面図、図７は図６のVII−VII線に沿う断面図である。
【０００３】
便座ボックス１の底部プレート２に洋風便器４の前後方向に延在するスリット３が２条平行に設けられている。このスリット３にボルト５の頭部が差し込まれる。なお、スリット３は、後端側に拡幅部３ａを備えており、ボルト５の頭部５ａが該拡幅部３ａを通って底部プレート２の上側に挿入され、ボルト５の螺子棒部５ｂが該スリット３を通って下方に延出される。
【０００４】
洋風便器４の便鉢４ａの後方部には、このボルト５の螺子棒部５ｂを通すためのボルト挿通孔４ｂが２個設けられている。平パッキン６を介してボルト５を該ボルト挿通孔４ｂに通し、半球パッキン８及びスリップワッシャ９を介してナット１０を該ボルト５に装着する。便座ボックス１に装着された便座１１の前端が図５の如く洋風便器４の前端から５〜２０ｍｍ程度突出するように便座ボックス１の前後位置を調整してから該ナット１０を締め込み、便座ボックス１を洋風便器４に固定する。
【０００５】
なお、スリット３の両側に壁状部１３，１３が設けられている。この壁状部１３，１３の上端間に板状部分１４が一体的に設けられている。
【０００６】
この便座ボックス１には、便蓋１２も上下方向回動自在に取り付けられている。この便座ボックス１の内部に温水噴射ノズル等の機構が設置されている。
【０００７】
【発明が解決しようとする課題】
従来、便座ボックス１にスリット３を設けているのは、便座ボックス１の洋風便器４に対する前後方向位置を調整しうるようにするためであるが、ナット１０の締め込みが甘くなったり、便座ボックス１に無理に大きな力が加えられたりしたときには便座ボックス１が位置ズレを起こすことがある。
【０００８】
本発明は、このような便座ボックスの位置ズレを防止することを目的とする。
【０００９】
【課題を解決するための手段】
本発明の便座ボックスの取付構造は、便座ボックスが洋風便器の後部上面に設置され、ボルト及びナットによって固定された便座ボックスの取付構造であって、該ボルトは、外管と、該外管に螺合しており該外管の上端部から上方へ螺進可能な軸体とを備えており、該外管の上端にボルトの頭部が設けられており、該便座ボックスは、底部プレートに洋風便器前後方向に延在する該ボルトの挿通用のスリットが設けられ、該スリットに対峙して、該軸体の上端が当接する当接板が設けられており、該ボルトが該スリットに装着されて該洋風便器のボルト挿通孔に通され、該外管に該ナットが締め込まれており、前記ボルトの頭部が前記スリットの縁部を上方から押え付け、前記軸体の上端が前記当接板に押し付けられ、該軸体が該底部プレートと該当接板との間で突っ張った状態となっていることを特徴とするものである。
また、本願発明の便座ボックスの取付方法は、上記発明の便座ボックスの取付構造とするための便座ボックスの取付方法であって、該便座ボックスを洋風便器の上面に載せ、前記ボルトを便器の便座ボックス固定用ボルト挿通孔に通し、該ボルトの前記外管にナットを締め込み、該ボルトの頭部で便座ボックスの底部プレートのスリットの両縁部を押えつけ、その後、前記軸体を回して上方に螺進させ、その上端を当接板に押し当てることを特徴とするものである。
【００１１】
かかる本発明にあっては、便座ボックスを洋風便器の上面に載せると共に該ボルトを便器の便座ボックス固定用ボルト挿通孔に通し、該ボルトの外管にナットを締め込む。これにより、ボルトの頭部が便座ボックスの底部プレートのスリットの両縁部を押えつける。このナット締めの後、軸体を回して上方に螺進させ、その上端を当接板に押し当てる。これにより、便座ボックスは、ボルト頭部によるスリット両縁部の押え付けと、軸体の当接板への押し当てによる突張りとの双方によりきわめてしっかりと洋風便器に固定される。
【００１２】
本発明では、この軸体の上端に、側方に張り出す張出部を設けるのが好ましい。このように張出部を設けることにより、軸体と当接板との接触面積（当接面積）が増大し、便座ボックスの固定が一段としっかりしたものになる。
【００１３】
【発明の実施の形態】
以下、図面を参照して本発明の実施の形態について説明する。図１は本発明の実施の形態に係る便座ボックスの取付構造及び取付方法を示すスリット３付近の断面図であり、前記図６と同一箇所の断面を示している。図２はボルト上部の断面図である。
【００１４】
この実施の形態の便座ボックス１においても、スリット３の両側に沿って延在するように壁状部１３，１３が設けられると共に、この壁状部１３，１３にまたがるようにして板状部分１４が設けられている。なお、この壁状部１３，１３及び板状部分１４は合成樹脂により底部プレート２と一体に成形（例えば射出成形）されている。この板状部分１４が当接板として機能している。
【００１５】
この実施の形態では、ボルト１５として、外管１６と、該外管１６に螺合した軸体１７とからなる複合ボルトが用いられている。なお、外管１６の外周面に雄螺子が設けられている。外管１６の内周面に雌螺子が設けられ、軸体１７の外周面には該雌螺子に螺合した雄螺子が設けられており、該軸体１７を回転させることにより軸体１７は上下方向にねじ同士の噛み合いにより進退（即ち、螺進）する。
【００１６】
この外管１６の上端には、ボルトの頭部１８が一体に設けられている。この頭部１８は前記ボルト５の頭部５ａとほぼ同一形状であるが、それよりも若干厚みが小さなものとなっている。軸体１７の上側には該上端から側方に張り出す張出部１９が設けられている。この実施の形態では、該張出部１９は頭部１８と同形かそれよりも小さい大きさのものであり、ボルト１５の上部をスリット３内へ差し込むときに頭部１８共々拡幅部３ａを通過しうるよう構成されている。
【００１７】
この便座ボックス１を洋風便器４上に固定設置するには、前記図３〜５と同様にボルト１５，１５をスリット３に装着し、平パッキン６を介してボルト１５，１５を洋風便器４のボルト挿通孔４ｂに通し、半球パッキン８及びスリップワッシャ９を介してナット１０をボルト１５の外管１６に装着する。そして、まず、便座ボックス１の位置調整を行った後ナット１０を締め込み、次いで、軸体１７を回して上方に螺進させ、張出部１９の上面を当接板１４の下面に押し当て、該軸体１７を底部プレート２と当接板１４との間で突っ張った状態とする。
【００１８】
このように、便座ボックス１は、ボルト１５の頭部１８によってスリット３の両縁部が押え付けられ、さらに軸体１７が底部プレート２と当接板１４との間で突っ張るため、洋風便器１にしっかりと固定される。しかも、この実施の形態にあっては、軸体１７の張出部１９が当接板１４に当接しており、軸体１７と当接板１４との当接面積が大きく、両者の間の摩擦力が大きいため、便座ボックス１の固定がきわめて堅固である。なお、この摩擦力を大きくするために、張出部１９の上面と当接板１４の下面とのうちの一方又は双方（好ましくは張出部１９の上面のみ）を粗面としたり、凹凸を設けても良く、また、高摩擦材料を接着等によって固着しても良い。
【００１９】
なお、ボルト１５の頭部１８の下面に凹凸を設けたり、スリット３の両縁部に凹凸を設けても良い。
【００２０】
【発明の効果】
以上の通り、本発明によると、便座ボックスを洋風便器の上面にきわめてしっかりと固定し、その位置ズレを確実に防止することができる。
【図面の簡単な説明】
【図１】  実施の形態に係る便座ボックスの取付構造を示す要部断面図である。
【図２】  ボルト上部の断面図である。
【図３】  従来の便座ボックスと洋風便器を示す斜視図である。
【図４】  従来の便座ボックスを示す斜視図である。
【図５】  従来の便座ボックスと洋風便器を示す斜視図である。
【図６】  図４のVI−VI線に沿う断面図である。
【図７】  図６のVII−VII線に沿う断面図である。
【符号の説明】
１  便座ボックス
２  底部プレート
３  スリット
４  洋風便器
５  ボルト
５ａ  頭部
５ｂ  螺子棒部
１３  壁状部
１４  当接板（板状部分）
１５  ボルト
１６  外管
１７  軸体
１８  頭部
１９  張出部
【図１】
0004228484.tif 000002
【図２】
0004228484.tif 000003
【図３】
0004228484.tif 000004
【図４】
0004228484.tif 000005
【図５】
0004228484.tif 000006
【図６】
0004228484.tif 000007
【図７】
0004228484.tif 000008